(57)【要約】記録されたままの動画ファイル、静止画ファイル、および動画ファイルと静止画ファイルの合成結果等、音声／映像データ記録再生装置本体の表示装置で表示できるすべての映像信号および音声信号を、デジタルインタフェースを介して外部へ出力可能な音声／映像データ記録再生装置を提供する。記録再生装置のデジタルインタフェースをデジタルＴＶに接続する場合は、合成処理部１１７からの合成信号をエンコーダ１０３でＭＰＥＧ−ＴＳエンコードした後で１３９４インターフェース部１２１から出力する。一方、デジタルインタフェースを別の編集装置や記録装置に接続する場合は、再生部１１６からの記録信号を１３９４インターフェース部１２１から、そのまま出力する。
2002032130.tif 000002
【特許請求の範囲】
【請求項１】
記録された圧縮データを、デジタルインタフェースを介して外部機器へ出力する圧縮データ出力部と、
前記記録された圧縮データから音声／映像信号を生成し、さらに他の音声／映像信号を加えた合成信号に対して、圧縮処理を加えた後で前記デジタルインタフェースを介して外部機器へ出力する再生信号出力部と、
音声／映像信号を圧縮して記録する記録部と、
前記圧縮データ出力部からの出力と前記再生信号出力部からの出力とを切り替える切り替え部とを備えたことを特徴とする音声／映像データ記録再生装置。
【請求項２】
前記記録された圧縮データは、ＭＰＥＧトランスポートストリームであり、
前記圧縮データ出力部は、ＭＰＥＧトランスポートストリームを外部機器へ出力し、
前記再生信号出力部は、デジタルビデオ（ＤＶ）圧縮処理を加えた後で外部機器へ出力することを特徴とする請求項１記載の音声／映像データ記録再生装置。
【請求項３】
前記記録された圧縮データは、ＭＰＥＧトランスポートストリームであり、
前記圧縮データ出力部は、ＭＰＥＧトランスポートストリームを外部機器へ出力し、
前記再生信号出力部は、フレーム内予測符号化画像（Ｉピクチャ）のみから構成されるＭＰＥＧトランスポートストリーム圧縮処理を加えた後で外部機器へ出力することを特徴とする請求項１記載の音声／映像データ記録再生装置。
【請求項４】
記録された圧縮データを、デジタルインタフェースを介して外部機器へ出力する圧縮データ出力部と、
前記記録された圧縮データから再生信号を生成し、さらに他の信号を加えた合成信号に対して、圧縮処理を加えた後で前記デジタルインタフェースを介して外部機器へ出力する再生信号出力部と、
前記圧縮データ出力部からの出力と前記再生信号出力部からの出力とを切り替える切り替え部とを備えたことを特徴とする音声／映像データ再生装置。
【請求項５】
ＭＰＥＧ２トランスポートストリームを伝送する伝送部と、
記録媒体に記録されたＭＰＥＧ２トランスポートストリームを読み出す読出し部と、
音声／映像信号を圧縮してＭＰＥＧ２トランスポートストリームを生成する圧縮部と、
ＭＰＥＧ２トランスポートストリームを伸長して音声／映像信号を生成し、さらに他の音声／映像信号を合成する伸長合成部と、
ＭＰＥＧ２トランスポートストリームを外部機器へ出力可能なデジタルインタフェース部と、
ＭＰＥＧ２トランスポートストリームを前記記録媒体に記録する記録部とを備え、
音声／映像信号再生時は、前記読出し部、前記伝送部、および前記デジタルインタフェース部を介してＭＰＥＧ２トランスポートストリームを出力するか、前記読出し部、前記伝送部、前記伸長合成部、前記圧縮部、前記伝送部、および前記デジタルインタフェース部を介してＭＰＥＧ２トランスポートストリームを出力するかを切り替え、また、音声／映像信号記録時は、前記圧縮部、前記伝送部、および前記記録部を介してＭＰＥＧ２トランスポートストリームを記録することを特徴とする音声／映像データ記録再生装置。
【請求項６】
ＭＰＥＧ２トランスポートストリームを伝送する伝送部と、
記録媒体に記録されたＭＰＥＧ２トランスポートストリームを読出する読出し部と、
音声／映像信号を圧縮してＭＰＥＧ２トランスポートストリームを生成する圧縮部と、
ＭＰＥＧ２トランスポートストリームを伸長して音声／映像信号を生成し、さらに他の音声／映像信号を合成する伸長合成部と、
ＭＰＥＧ２トランスポートストリームを外部機器へ出力可能なデジタルインタフェース部とを備え、
前記読出し部、前記伝送部、および前記デジタルインタフェース部を介してＭＰＥＧ２トランスポートストリームを出力するか、前記読出し部、前記伝送部、前記伸長合成部、前記圧縮部、前記伝送部、および前記デジタルインタフェース部を介してＭＰＥＧ２トランスポートストリームを出力するかを切り替えることを特徴とする音声／映像データ再生装置。
【請求項７】
記録された圧縮データを、デジタルインタフェースを介して外部機器へ出力する圧縮データ出力工程と、
前記記録された圧縮データから再生信号を生成し、さらに他の信号を加えた合成信号に対して、圧縮処理を加えた後で前記デジタルインタフェースを介して外部機器へ出力する再生信号出力工程と、
音声／映像信号を圧縮して記録する工程と、
前記圧縮データ出力工程における出力と前記再生信号出力工程における出力とを切り替える工程とを含むことを特徴とする音声／映像データ記録再生方法。
【請求項８】
前記記録された圧縮データは、ＭＰＥＧトランスポートストリームであり、
前記圧縮データ出力工程において、ＭＰＥＧトランスポートストリームを外部機器へ出力し、
前記再生信号出力工程において、デジタルビデオ（ＤＶ）圧縮処理を加えた後で外部機器へ出力することを特徴とする請求項７記載の音声／映像データ記録再生方法。
【請求項９】
前記記録された圧縮データは、ＭＰＥＧトランスポートストリームであり、
前記圧縮データ出力工程において、ＭＰＥＧトランスポートストリームを外部機器へ出力し、
前記再生信号出力工程において、フレーム内予測符号化画像（Ｉピクチャ）のみから構成されるＭＰＥＧトランスポートストリーム圧縮処理を加えた後で外部機器へ出力することを特徴とする請求項１記載の音声／映像データ記録再生方法。
【請求項１０】
記録された圧縮データを、デジタルインタフェースを介して外部機器へ出力する圧縮データ出力工程と、
前記記録された圧縮データから音声／映像信号を生成し、さらに他の音声／映像信号を加えた合成信号に対して、圧縮処理を加えた後で前記デジタルインタフェースを介して外部機器へ出力する再生信号出力工程と、
前記圧縮データ出力工程における出力と前記再生信号出力工程における出力とを切り替える工程とを含むことを特徴とする音声／映像データ再生方法。
【請求項１１】
ＭＰＥＧ２トランスポートストリームを伝送する伝送工程と、
記録媒体に記録されたＭＰＥＧ２トランスポートストリームを読み出す読出し工程と、
音声／映像信号を圧縮してＭＰＥＧ２トランスポートストリームを生成する圧縮工程と、
ＭＰＥＧ２トランスポートストリームを伸長して音声／映像信号を生成し、さらに他の音声／映像信号を合成する伸長合成工程と、
ＭＰＥＧ２トランスポートストリームを、デジタルインタフェースを介して外部機器へ出力する出力工程と、
ＭＰＥＧ２トランスポートストリームを前記記録媒体に記録する記録工程とを含み、
音声／映像信号再生時は、前記読出し工程、前記伝送工程、および前記出力工程を経てＭＰＥＧ２トランスポートストリームを出力するか、前記読出し工程、前記伝送工程、前記伸長合成工程、前記圧縮工程、前記伝送工程、および前記出力工程を経てＭＰＥＧ２トランスポートストリームを出力するかを切り替え、また、音声／映像信号記録時は、前記圧縮工程、前記伝送工程、および前記記録工程を経てＭＰＥＧ２トランスポートストリームを記録することを特徴とする音声／映像データ記録再生方法。
【請求項１２】
ＭＰＥＧ２トランスポートストリームを伝送する伝送工程と、
記録媒体に記録されたＭＰＥＧ２トランスポートストリームを読み出す読出し工程と、
音声／映像信号を圧縮してＭＰＥＧ２トランスポートストリームを生成する圧縮工程と、
ＭＰＥＧ２トランスポートストリームを伸長して音声／映像信号を生成し、さらに他の音声／映像信号を合成する伸長合成工程と、
ＭＰＥＧ２トランスポートストリームを、デジタルインタフェースを介して外部機器へ出力する出力工程とを含み、
前記読出し工程、前記伝送工程、および前記出力工程を経てＭＰＥＧ２トランスポートストリームを出力するか、前記読出し工程、前記伝送工程、前記伸長合成工程、前記圧縮工程、前記伝送工程、前記出力工程を経てＭＰＥＧ２トランスポートストリームを出力するかを切り替えることを特徴とする音声／映像データ再生方法。
【請求項１３】
記録された圧縮データから静止画信号を生成し、ＭＰＥＧトランスポートストリームへの圧縮処理を施した後で、デジタルインターフェースを介して外部機器へ出力する再生信号出力部を備え、
前記静止画信号の画素数に応じて、前記ＭＰＥＧトランスポートストリームを構成する映像の画素数を変更することを特徴とする音声／映像データ再生装置。
【請求項１４】
記録された圧縮データから静止画信号を生成し、ＭＰＥＧトランスポートストリームへの圧縮処理を施した後で、デジタルインターフェースを介して外部機器へ出力する再生信号出力工程を含み、
前記静止画信号の画素数に応じて、前記ＭＰＥＧトランスポートストリームを構成する映像の画素数を変更することを特徴とする音声／映像データ再生方法。
【発明の詳細な説明】
技術分野
本発明は、音声、および動画や静止画などの映像を圧縮して光ディスク等の記録媒体へ記録する音声／映像データ記録再生装置及び方法、ならびに記録媒体に記録された音声や映像データを伸長して再生する音声／映像データ再生装置及び方法に関する。
背景技術
動画や静止画を圧縮して光ディスク等の記録媒体へ記録する音声／映像データ記録再生装置がある。動画はＩＳＯ／ＩＥＣ　１３８１８−１で規定されたＭＰＥＧ２（ｓｙｓｔｅｍ）圧縮によりＭＰＥＧシステムストリームからなるＭＰＥＧファイルとして記録され、静止画はＪＰＥＧ圧縮後にＪＰＥＧファイルとして記録される。ＭＰＥＧファイル内の映像信号はＩＳＯ／ＩＥＣ　１３８１８−３で規定されたＭＰＥＧ２（Ｖｉｄｅｏ）規格により圧縮され、音声信号はＭＰＥＧ１−レイヤ２圧縮、ＭＥＰＧ２−ＡＡＣ（Ａｄｖａｎｃｅｄ　Ａｕｄｉｏ　Ｃｏｒｄｉｎｇ）、またはＡＣ３圧縮等が施され、ＭＰＥＧシステムストリーム内に配置される。
図２は、従来の音声／映像データ記録再生装置の一構成例を示すブロック図である。ユーザは、切り替え操作によって、映像信号入力部１００および音声信号入力部１０１から入力した動画を記録することもできるし、１３９４インタフェース部１２１から入力したトランスポートストリームも記録することができる。動画の映像信号および音声信号の記録時は、映像信号入力部１００及び音声信号入力部１０１から入力された信号を各々映像圧縮部１０４及び音声圧縮部１０５で圧縮し、次にトランスポートストリーム組立部１０６においてトランスポートストリームを作成し、記録部１０７及びピックアップ１４１を経由して相変化光ディスク１４０へ書き込む。一方、映像信号入力部１００から入力する静止画の映像信号は静止画圧縮部１０８、記録部１０７、ピックアップ１４１を経由して相変化光ディスク１４０へ書き込まれる。また、以上の制御を記録制御部２３０が担当する。なお、記録されるＭＰＥＧファイルおよびＪＰＥＧファイルはＵＤＦ（ｕｎｉｖｅｒｓａｌ　ｄｉｓｋ　ｆｏｒｍａｔ）ファイルシステムによりファイル管理される。また、１３９４インタフェース部１２１からのＭＰＥＧトランスポートストリーム（ＭＰＥＧ−ＴＳ）記録を指示された場合、１３９４記録制御部１３３は、１３９４インタフェース部１２１を介して外部から入力されたトランスポートストリームを記録部１０７およびピックアップ１４１を介して相変化光ディスク１４０へ記録する。
動画の映像信号および音声信号の再生時は、ピックアップ１４１、再生部１１６を経由して取り出したトランスポートストリームをトランスポートストリーム分解部１１４で映像パケットと音声パケットに分離する。映像パケットは、映像伸長部１１２で映像信号に復元され、さらに合成処理部１１７において（静止画に対する同時再生の指示があれば）静止画の映像信号と合成されて映像表示部１１０へ出力される。また、音声パケットは、音声伸長部１１３で音声信号に復元されて、音声出力部１１１へ出力される。一方、静止画の映像信号の再生時は、ピックアップ１４１、再生部１１６を経由して取り出したＪＰＥＧファイルを、静止画伸長部１１８を介し、さらに合成処理部１１７において（動画に対する同時再生の指示があれば）動画の映像信号と合成して映像表示部１１０へ出力する。合成処理部１１７は、ＭＰＥＧファイルの映像信号とＪＰＥＧファイルの映像信号を重ね合わせて合成する。また、どちらか片方しか再生指示されない場合は、合成処理は行わずそのうち片方のみが出力される。以上の制御を再生制御部２３１が担当する。また、記録機用再生制御部２３２は、再生制御部２３１の機能に加えて、出力タイミング生成部１２０および１３９４インタフェース部１２１を介して、トランスポートストリームを出力する機能を有する。なお、出力タイミング生成部１２０は、Ｔ−ＳＴＤ（トランスポートストリームターゲットデコーダー）のバッファ占有量を計算し、個々のトランスポートパケットの送信タイミングを算出する。
また、再生制御部２３１および記録機用再生制御部２３２は、ユーザの設定により、動画ファイルと静止画ファイルを任意のタイミングとサイズで同一画面内に重ね合わせて表示させることができる。設定内容はＷ３Ｃ（ｗｏｒｌｄ　ｗｉｄｅ　ｗｅｂ　ｃｏｎｓｏｒｔｉｕｍ）で規格化進展中のＳＭＩＬ（Ｓｙｎｃｈｒｏｎｉｚｅｄ　Ｍｕｌｔｉｍｅｄｉａ　Ｉｎｔｅｇｒａｔｉｏｎ　Ｌａｎｇｕａｇｅ）言語で記述されたテキストファイル形式で相変化光ディスク１４０上に保存される。
また、アナログインタフェース部１２２は、映像表示部１１０および音声出力部１１１に各々映像および音声が出力される場合に、アナログ映像およびアナログ音声を外部機器へ出力するためのものである。
図３は、図２に示した音声／映像データ記録再生装置２５０とデジタルＴＶ３００の接続形態を示すブロック図である。デジタルＴＶ３００は、ＣＲＴ（Ｃａｔｈｏｄｅ　Ｒａｙ　Ｔｕｂｅ）３０１、ＳＴＢ（Ｓｅｔ　Ｔｏｐ　Ｂｏｘ）３０２およびＡＶ−ＨＤＤ（音声／映像用途のハードディスクドライブ）３０３から構成される。音声／映像データ記録再生装置２５０と、ＳＴＢ３０２と、ＡＶ−ＨＤＤ３０３とは、ＩＥＥＥ１３９４ネットワーク３０６を介して相互接続されている。ＳＴＢ３０２は、放送電波およびＩＥＥＥ１３９４ネットワーク３０４から受信したトランスポートストリームをデコードして映像信号および音声信号を出力する。ＣＲＴ３０１は、ＳＴＢ３０２が出力する映像信号および音声信号を表示する。ＡＶ−ＨＤＤ３０３は、ＩＥＥＥ１３９４ネットワーク３０６から受信したトランスポートストリームを記録したり、逆にＩＥＥＥ１３９４ネットワーク３０６へトランスポートストリームを送信する。
従来の音声／映像データ記録再生装置２５０は、記録された動画を視聴する際は、アナログ出力ケーブル３０４でＣＲＴ３０１に接続された。また、ＳＴＢ３０２が出力する動画信号を記録する際には、アナログ入力ケーブル３０５で音声／映像データ記録再生装置２０５へ接続し、その内部で映像信号入力部および音声信号入力部へ接続された。また、記録された動画ファイルをデジタルインタフェース経由でＡＶ−ＨＤＤ３０３へ接続する際には、１３９４ケーブルでＩＥＥＥ１３９４ネットワーク３０６へ接続した。
従来の音声／映像データ記録再生装置２５０において、ＩＥＥＥ１３９４出力等のデジタルインタフェース出力は動画ファイル単独の記録内容に限られ、動画ファイルと静止画ファイルの合成結果や静止画は、音声／映像データ記録再生装置が備える映像表示部１１０やアナログインタフェース部１２２経由で視聴するしかなかった。
これにより、動画ファイルと静止画ファイルの合成結果や静止画の記録内容をデジタルＴＶ３００で視聴する際には、アナログインタフェースを介して音声／映像データ記録再生装置２５０とデジタルＴＶ３００を接続し、画像編集等の目的のためにデジタルＴＶ３００に内蔵されたＡＶ−ＨＤＤ３０３やパソコンへ記録内容を伝送する際には、デジタルインタフェースを使って接続する必要があり、非常に使いにくかった。
また、デジタルインタフェースを使う際には、ＨＡＶｉ（Ｈｏｍｅ　Ａｕｄｉｏ　Ｖｉｄｅｏ　ｉｎｔｅｒｏｐｅｒａｂｉｌｉｔｙ）やＪｉｎｉ等の分散ネットワーク技術を利用して、デジタルＴＶ３００は１３９４ネットワーク３０６に接続された音声／映像機器を容易に認識することができる。しかし、アナログインタフェースを利用する際には、ユーザが入力先の切り替え等をマニュアル操作で行うしか無かった。
発明の開示
本発明は、上記問題点に鑑みてなされたものであり、その目的は、記録されたままの動画ファイル、静止画ファイル、および動画ファイルと静止画ファイルの合成結果等、音声／映像データ記録再生装置本体の表示装置で表示できるすべての映像信号および音声信号を、デジタルインタフェースを介して外部へ出力可能な音声／映像データ記録再生装置及び方法、ならびに音声／映像データ再生装置及び方法を提供することにある。
また同時に、本発明の目的は、ユーザが目的別に音声／映像データ記録再生装置と他の音声／映像機器間（例えば、デジタルＴＶ）の接続形態を代える必要の無い、分かりやすいデジタルインタフェースを実現することにある。
前記の目的を達成するため、本発明に係る第１の音声／映像データ記録再生装置は、記録された圧縮データを、デジタルインタフェースを介して外部機器へ出力する圧縮データ出力部と、記録された圧縮データから音声／映像信号を生成し、さらに他の音声／映像信号を加えた合成信号に対して、圧縮処理を加えた後でデジタルインタフェースを介して外部機器へ出力する再生信号出力部と、音声／映像信号を圧縮して記録する記録部と、圧縮データ出力部からの圧縮データと再生信号出力部からの再生信号とを切り替える切り替え部とを備えたことを特徴とする。
第１の音声／映像データ記録再生装置において、記録された圧縮データは、ＭＰＥＧトランスポートストリームであり、圧縮データ出力部は、ＭＰＥＧトランスポートストリームを外部機器へ出力し、再生信号出力部は、デジタルビデオ（ＤＶ）圧縮処理を加えた後で外部機器へ出力することが好ましい。かかる構成により、再生信号出力部を容易に構成することが可能になる。
または、第１の音声／映像データ記録再生装置において、記録された圧縮データは、ＭＰＥＧトランスポートストリームであり、圧縮データ出力部は、ＭＰＥＧトランスポートストリームを外部機器へ出力し、再生信号出力部は、フレーム内予測符号化画像（Ｉピクチャ）のみから構成されるＭＰＥＧトランスポートストリーム圧縮処理を加えた後で外部機器へ出力することが好ましい。かかる構成により、再生信号出力部の消費電力を著しく抑えることが可能になる。
前記の目的を達成するため、本発明に係る第１の音声／映像データ再生装置は、記録された圧縮データを、デジタルインタフェースを介して外部機器へ出力する圧縮データ出力部と、記録された圧縮データから再生信号を生成し、さらに他の信号を加えた合成信号に対して、圧縮処理を加えた後でデジタルインタフェースを介して外部機器へ出力する再生信号出力部と、圧縮データ出力部からの出力と再生信号出力部からの出力とを切り替える切り替え部とを備えたことを特徴とする。
前記の目的を達成するため、本発明に係る第２の音声／映像データ記録再生装置は、ＭＰＥＧ２トランスポートストリームを伝送する伝送部と、記録媒体に記録されたＭＰＥＧ２トランスポートストリームを読み出す読出し部と、音声／映像信号を圧縮してＭＰＥＧ２トランスポートストリームを生成する圧縮部と、ＭＰＥＧ２トランスポートストリームを伸長して音声／映像信号を生成し、さらに他の音声／映像信号を合成する伸長合成部と、ＭＰＥＧ２トランスポートストリームを外部機器へ出力可能なデジタルインタフェース部と、ＭＰＥＧ２トランスポートストリームを記録媒体に記録する記録部とを備え、音声／映像信号再生時は、読出し部、伝送部、およびデジタルインタフェース部を介してＭＰＥＧ２トランスポートストリームを出力するか、読出し部、伝送部、伸長合成部、圧縮部、伝送部、およびデジタルインタフェース部を介してＭＰＥＧ２トランスポートストリームを出力するかを切り替え、また、音声／映像信号記録時は、圧縮部、伝送部、および記録部を介してＭＰＥＧ２トランスポートストリームを記録することを特徴とする。
前記の目的を達成するため、本発明に係る第２の音声／映像データ再生装置は、ＭＰＥＧ２トランスポートストリームを伝送する伝送部と、記録媒体に記録されたＭＰＥＧ２トランスポートストリームを読出する読出し部と、音声／映像信号を圧縮してＭＰＥＧ２トランスポートストリームを生成する圧縮部と、ＭＰＥＧ２トランスポートストリームを伸長して音声／映像信号を生成し、さらに他の音声／映像信号を合成する伸長合成部と、ＭＰＥＧ２トランスポートストリームを外部機器へ出力可能なデジタルインタフェース部とを備え、読出し部、伝送部、およびデジタルインタフェース部を介してＭＰＥＧ２トランスポートストリームを出力するか、読出し部、伝送部、伸長合成部、圧縮部、伝送部、およびデジタルインタフェース部を介してＭＰＥＧ２トランスポートストリームを出力するかを切り替えることを特徴とする。
前記の目的を達成するため、本発明に係る第１の音声／映像データ記録再生方法は、記録された圧縮データを、デジタルインタフェースを介して外部機器へ出力する圧縮データ出力工程と、記録された圧縮データから再生信号を生成し、さらに他の信号を加えた合成信号に対して、圧縮処理を加えた後でデジタルインタフェースを介して外部機器へ出力する再生信号出力工程と、音声／映像信号を圧縮して記録する工程と、圧縮データ出力工程における出力と再生信号出力工程における出力とを切り替える工程とを含むことを特徴とする。
第１の音声／映像データ記録再生方法において、記録された圧縮データは、ＭＰＥＧトランスポートストリームであり、圧縮データ出力工程において、ＭＰＥＧトランスポートストリームを外部機器へ出力し、再生信号出力工程において、デジタルビデオ（ＤＶ）圧縮処理を加えた後で外部機器へ出力することが好ましい。
または、第１の音声／映像データ記録再生方法において、記録された圧縮データは、ＭＰＥＧトランスポートストリームであり、圧縮データ出力工程において、ＭＰＥＧトランスポートストリームを外部機器へ出力し、再生信号出力工程において、フレーム内予測符号化画像（Ｉピクチャ）のみから構成されるＭＰＥＧトランスポートストリーム圧縮処理を加えた後で外部機器へ出力することが好ましい。
前記の目的を達成するため、本発明に係る第１の音声／映像データ再生方法は、記録された圧縮データを、デジタルインタフェースを介して外部機器へ出力する圧縮データ出力工程と、記録された圧縮データから音声／映像信号を生成し、さらに他の音声／映像信号を加えた合成信号に対して、圧縮処理を加えた後でデジタルインタフェースを介して外部機器へ出力する再生信号出力工程と、圧縮データ出力工程における出力と再生信号出力工程における出力とを切り替える工程とを含むことを特徴とする。
前記の目的を達成するため、本発明に係る第２の音声／映像データ記録再生方法は、ＭＰＥＧ２トランスポートストリームを伝送する伝送工程と、記録媒体に記録されたＭＰＥＧ２トランスポートストリームを読み出す読出し工程と、音声／映像信号を圧縮してＭＰＥＧ２トランスポートストリームを生成する圧縮工程と、ＭＰＥＧ２トランスポートストリームを伸長して音声／映像信号を生成し、さらに他の音声／映像信号を合成する伸長合成工程と、ＭＰＥＧ２トランスポートストリームを、デジタルインタフェースを介して外部機器へ出力する出力工程と、ＭＰＥＧ２トランスポートストリームを記録媒体に記録する記録工程とを含み、音声／映像信号再生時は、読出し工程、伝送工程、および出力工程を経てＭＰＥＧ２トランスポートストリームを出力するか、読出し工程、伝送工程、伸長合成工程、圧縮工程、伝送工程、および出力工程を経てＭＰＥＧ２トランスポートストリームを出力するかを切り替え、また、音声／映像信号記録時は、圧縮工程、伝送工程、および記録工程を経てＭＰＥＧ２トランスポートストリームを記録することを特徴とする。
前記の目的を達成するため、本発明に係る第２の音声／映像データ再生方法は、ＭＰＥＧ２トランスポートストリームを伝送する伝送工程と、記録媒体に記録されたＭＰＥＧ２トランスポートストリームを読み出す読出し工程と、音声／映像信号を圧縮してＭＰＥＧ２トランスポートストリームを生成する圧縮工程と、ＭＰＥＧ２トランスポートストリームを伸長して音声／映像信号を生成し、さらに他の音声／映像信号を合成する伸長合成工程と、ＭＰＥＧ２トランスポートストリームを、デジタルインタフェースを介して外部機器へ出力する出力工程とを含み、読出し工程、伝送工程、および出力工程を経てＭＰＥＧ２トランスポートストリームを出力するか、読出し工程、伝送工程、伸長合成工程、圧縮工程、伝送工程、出力工程を経てＭＰＥＧ２トランスポートストリームを出力するかを切り替えることを特徴とする。
前記の目的を達成するため、本発明に係る第３の音声／映像データ再生装置は、記録された圧縮データから静止画信号を生成し、ＭＰＥＧトランスポートストリームへの圧縮処理を施した後で、デジタルインターフェースを介して外部機器へ出力する再生信号出力部を備え、静止画信号の画素数に応じて、ＭＰＥＧトランスポートストリームを構成する映像の画素数を変更することを特徴とする。
前記の目的を達成するため、本発明に係る第３の音声／映像データ再生方法は、記録された圧縮データから静止画信号を生成し、ＭＰＥＧトランスポートストリームへの圧縮処理を施した後で、デジタルインターフェースを介して外部機器へ出力する再生信号出力工程を含み、静止画信号の画素数に応じて、ＭＰＥＧトランスポートストリームを構成する映像の画素数を変更することを特徴とする。
第３の音声／映像データ再生装置および方法によれば、静止画を高画質に表示可能になる。
上記の構成によれば、記録されたままの動画ファイル、静止画ファイル、および動画ファイルと静止画ファイルの合成結果等、音声／映像データ記録再生装置本体の表示装置で表示できるすべての映像信号および音声信号をデジタルインタフェースから外部へ出力可能になる。
発明を実施するための最良の形態
以下、本発明の実施の形態について、図面を参照しながら説明する。
（実施の形態１）
図１は、本発明の実施の形態１に係る音声／映像データ記録再生装置の一構成例を示すブロック図である。本実施の形態と図２に示す従来例との違いは、スイッチ（ＳＷ）１０２が追加されている点と、記録制御部１８０、再生制御部１３１、記録機用再生制御部１３２の機能が図２のそれらと異なる点にある。その他の各機能部は、従来例で説明した機能と同じであり、以下、相違点を中心に説明する。
ユーザが、映像信号入力部１００および音声信号入力部１０１から入力する信号を記録する時、記録制御部１３０は、ＳＷ１０２の接続を映像入力側および音声入力側にし、各々映像圧縮部１０４および音声圧縮部１０５、さらにトランスポートストリーム組立部１０６、記録部１０７、およびピックアップ１４１を介して、相変化光ディスク１４０へＭＰＥＧファイルとして記録させる。
ユーザが、相変化光ディスク１４０に記録されたＭＰＥＧファイルを映像表示部１１０で再生して視聴すると同時に、デジタルインタフェース経由でデジタルＴＶへ接続して視聴する操作をした場合、再生制御部１３１は、ＭＰＥＧファイルをピックアップ１４１および再生部１１６を介して読み出し、トランスポートストリーム分解部１１４により映像パケットと音声パケットに分離し、さらに各々映像伸長部１１２および音声伸長部１１３により映像信号および音声信号を再生させる。ただし、映像信号は、合成処理部１１７において、再生制御部１３１からの指示があれば、他の映像信号が合成されて、映像表示部１１０で表示される。また同時に、再生制御部１３１は、ＳＷ１０２の接続を合成処理部１１７側および音声伸長部１１３側にし、再生された映像信号および音声信号を、各々映像圧縮部１０４および音声圧縮部１０５を介し、さらにトランスポートストリーム組立部１０６によりトランスポートストリームを生成し、１３９４インタフェース部１２１を介し出力させる。
一方、ユーザが、記録されたＭＰＥＧファイルを映像表示部１１０で再生すると同時に、デジタルインタフェースを介して図３に示したＡＶ−ＨＤＤ３０３へ接続してダビングする操作をした場合、再生制御部１３１は、ピックアップ１４１と再生部１１６を介して読み出したＭＰＥＧファイル内のトランスポートストリームを、出力タイミング生成部１２０および１３９４インタフェース部１２１を介し出力させる。
以上の様に、ユーザは、記録したままのオリジナルのＭＰＥＧファイルを編集目的等でＡＶ−ＨＤＤ等へ保存する場合だけでなく、ＪＰＥＧファイルをデジタルＴＶで見る場合や、ＭＰＥＧファイルとＪＰＥＧファイルを重ね合わせて再生する様に動作させた動画をデジタルＴＶで視聴する場合においても、１３９４ケーブルを使った接続のままで表示可能であり、アナログインターフェースを接続する必要が無い。これにより、音声／映像データ記録再生装置の１３９４インタフェースが著しく使いやすいものとなり、機能的にアナログインタフェースを完全に代替可能になる。さらに、オリジナルの映像をデジタルインタフェースを介して画質の劣化無しに伝送できる点でアナログインタフェースをしのぐ。
なお、本実施の形態で、合成処理部１１７は静止画のみを合成するものとしたが、記録日時、フレームカウンタ、ユーザが選択するメニュー等をＯＳＤ（Ｏｎ　Ｓｃｒｅｅｎ　Ｄｉｓｐｌａｙ）の形態で文字や数字等を合成しても良い。
また、本実施の形態で、音声伸長部１１３の出力となる音声信号には何も合成しないものとしたが、別の音声信号を合成しても良い。たとえば、相変化光ディスク１４０上に記録された音声ファイルを別途読み出して音声信号まで伸長した後で合成しても良い。その場合、合成された音声信号が、映像圧縮部１０４、音声圧縮部１０５およびトランスポートストリーム組立部１０６からなるエンコーダー１０３によって圧縮されて、１３９４インタフェース部１２１を介して出力されることになる。この音声信号の合成により、ＭＰＥＧファイルの音声と音声ファイルの音声から構成される２トラック分の音声信号を１トラックへ落として、１トラック分の再生能力しか持たないデジタルＴＶでも、２トラック分の音声信号を再生することが可能になる。
また、本実施の形態において、記憶媒体は光ディスク（相変化光ディスク１４０）であるものとしたが、例えばＤＶＤ−ＲＡＭ、ＭＯ（光磁気ディスク）、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体であれば何でも良い。
同様に、本実施の形態において、読み書きヘッドはピックアップとしているが、ＭＯの場合はピックアップ及び磁気ヘッドとなり、またハードディスクの場合は磁気ヘッドとなる。
また、本実施の形態において、ファイルはＵＤＦファイルシステムで管理したが、ＦＡＴ（ｆｉｌｅ　ａｌｌｏｃａｔｉｏｎ　ｔａｂｌｅ）やその他の独自ファイルシステムで管理されても良い。
また、本実施の形態において、映像信号入力部１００および音声信号入力部１０１からの信号を圧縮するエンコーダーと、合成処理部１１７および音声伸長部１１３の信号を圧縮するエンコーダーは同一（エンコーダー１０３）であるものとしたが、別々であっても良い。
また、本実施の形態において、映像信号入力部１００および音声信号入力部１０１からの信号を圧縮するエンコーダーと、合成処理部１１７および音声伸長部１１３の信号を圧縮するエンコーダーは同一（エンコーダー１０３）であり、かつ、どちらもＭＰＥＧトランスポートストリームを生成するものとしたが、別々のエンコーダーであって、かつ合成処理部１１７の信号を圧縮するエンコーダーは、民生用ディジタルＶＴＲに用いられるＤＶ（Ｄｉｇｉｔａｌ　Ｖｉｄｅｏ）エンコーダーであって、ＤＶ圧縮処理により生成されるＤＶストリームを１３９４インタフェース部１２１を介して外部出力しても良い。１３９４インタフェースでは、トランスポートストリームの他にＤＶストリームを伝送することができるからである。ただし、この場合、デジタルＴＶがＤＶストリームの再生に対応していることが前提となる。また、この時、（ＭＰＥＧ）エンコーダー１０３と（ＭＰＥＧ）デコーダー１１５はコーデックであっても良い。これにより、ＭＰＥＧエンコーダーとＭＰＥＧデコーダーの同時動作が不要になり、より容易にシステムを構成することができる様になる。
また、本実施の形態において、合成処理部１１７および音声伸長部１１３の信号は、エンコーダー１０３および１３９４インタフェース１２１を介して外部へ出力されるものとしたが、同時に、記録部１０７およびピックアップ１４１を介して相変化光ディスク１４０へ記録されても良い。ただし、この場合、再生処理と記録処理を同時に実施することになるので、読み込み速度、書き込み速度、記録部１０７のバッファメモリ容量、再生部１１６のバッファメモリ容量、およびアクセス時間等をベースとした装置構成の考慮が必要になる。
また、本実施の形態において、映像再生時に、記録されたトランスポートストリームを伸長後、再度圧縮する場合の映像圧縮部１０４の圧縮後のＭＰＥＧのピクチャ構造については特に触れなかったが、圧縮されたトランスポートストリームを１３９４インターフェースに出力する場合は、Ｂピクチャ（双方向予測符号化画像：Ｂｉｄｉｒｅｃｔｉｏｎａｌｌｙ−ｃｏｄｅｄ　ｐｉｃｔｕｒｅ）のリオーダリングに起因する遅延時間を減らすために、Ｂピクチャが入らない様に圧縮しても良い。また、これに伴い、圧縮後の伝送レートを高くなる様にしても良い。さらに、映像再生時のＭＰＥＧエンコーダの消費電力を下げるために、Ｐピクチャ（前方向予測符号化画像：Ｐｒｅｄｉｃｔｉｖｅ−ｃｏｄｅｄ　ｐｉｃｔｕｒｅ）およびＢピクチャが入らない様にしても良い。Ｉピクチャ（フレーム内予測符号化画像：Ｉｎｔｒａ−ｃｏｄｅｄ　ｐｉｃｔｕｒｅ）のみから構成すればＤＶエンコーダー並みの消費電力を実現することができる。
また、本実施の形態において、新たにデジタルインタフェースへ出力される音声／映像信号は、動画ファイルと静止画ファイルの合成結果、および静止画ファイルであるものとしたが、相変化光ディスクに記録されたＭＰＥＧファイルの特殊再生映像（早送り、早戻し、スロー、逆スロー、ジョグ再生、逆ジョグ再生、ズーム再生）、ＪＰＥＧファイルのマルチ画面再生映像、ＭＰＥＧファイルやＪＰＥＧファイルへ特殊再生効果（セピアフィルタやトランジッションフィルタ等）を加えた映像、およびボタンやプルダウンメニュー等のユーザインタフェース等の映像も出力可能であることは言うまでもない。ただし、この場合、デコーダー１１５や静止画伸長部１１８がそれらの機能を有する必要があることも言うまでもない。
また、本実施の形態において、映像信号入力部１００および音声信号入力部１０１は、音声／映像データ記録再生部のカメラであって良いし、チューナー、もしくはアナログ外部入力インタフェースであっても良い。
また、本実施の形態において、記録された静止画ファイルの画素数が例えば１２８０（横）×９６０（縦）画素の場合、ＭＰＥＧ２のＭＰ＠ＭＬ（メインプロファイル・メインレベル）で圧縮するするものとしたが、１９２０×１０８０画素のＭＰ＠ＨＬ（メインプロファイル・ハイレベル）のプログレッシブ映像へ圧縮しても良い。これにより、静止画を高画質で表示可能になる。ただしこの場合、映像のアスペクト調整やズーミングが必要になるのは言うまでもない。ここで、１９２０×１０８０画素は日本のＢＳデジタル放送の画素数である。
また、静止画ファイルをトランスポートストリームへ変換する場合は、Ｉピクチャ１枚のみ出力し、動画ファイルの様にフレーム周期でＰピクチャやＢピクチャを生成する必要は無い。すなわち、トランスポートストリームに含まれる映像ストリームがシーケンススタートコード、Ｉピクチャ、シーケンスエンドコードからのみ構成されても良い。
また、本実施の形態において、エンコーダー１０３とデコーダー１１５はそれぞれ独立していたが、同時に動作するのであれば一体となっていても良い。
以上のように、本発明によれば、記録されたままの動画ファイル、静止画ファイル、および動画ファイルと静止画ファイルの合成結果等、音声／映像データ記録装置本体の表示装置で表示するすべての映像信号および音声信号を、デジタルインタフェースを介して外部へ出力可能な音声／映像データ記録再生装置を実現できる。
また同時に、ユーザが目的別に音声／映像データ記録再生装置と他の音声／映像機器間（例えば、デジタルＴＶ）の接続形態を代える必要の無い、分かりやすいデジタルインタフェースを実現できる。
また、デジタルＴＶ側からは、デジタルインタフェースに加えてＨＡＶｉやＪｉｎｉ等のプロトコルを使えば、接続された音声／映像データ記録再生装置の自動認識が可能となる。このことから、例えばムービー撮影後、デジタルＴＶに接続して試聴する場合に、この自動認識の機能により、アナログインタフェースをはるかに上回る使いやすさを常に体感できることになる。
【図面の簡単な説明】
図１は、本発明の実施の形態１に係る音声／映像データ記録再生装置の一構成例を示すブロック図である。
図２は、従来の音声／映像データ記録再生装置の一構成例を示すブロック図である。
図３は、音声／映像データ記録再生装置とデジタルＴＶとの接続形態を示す概略ブロック図である。
【図１】
2002032130.tif 000003
【図２】
2002032130.tif 000004
【図３】
2002032130.tif 000005
【国際調査報告】
2002032130.tif 000006
2002032130.tif 000007